(57)【要約】【課題】 本発明は水と砂がともに湧き出る演出が可能な装飾用人工泉に関する。【解決手段】川や自然状態の水溜りから水が湧き出る時に水とともに砂も湧き出る現象を人工的に再現して室内外でこれを鑑賞できるようにしたものである。本発明による水と砂がともに湧き出る演出が可能な装飾用人工泉により美しい自然現象を都市でも便利に鑑賞できるようにする室内外造景用品として様々に活用することができ、また、空気が乾燥している場所では人工泉によって絶えず供給される水を利用して湿度を自然的に調節する効果がある。【選択図】図１
2011520661.tif 000002
【特許請求の範囲】
【請求項１】
水供給部に位置し、流入管を通して給水槽にある水を流入した後、圧力を加えて流出管を通して水を加圧供給する水中ポンプ；
前記水中ポンプの流出管に一側が連結されている管状の水供給管；及び
前記水供給管の他側が下部から上部に貫通して結合され上部が広く下部は狭い漏斗状を有し、下部には砂が収容されている泉演出容器部を含んで構成されることを特徴とする水と砂がともに湧き出る演出が可能な装飾用人工泉。
【請求項２】
前記水供給管と泉演出容器部の間に設置され、上部断面には合成繊維で作られたメッシュフィルタが装着されており下部が前記水供給管と一体に結合されている上狭下広のパイプ状の濾過フィルタ部と、前記濾過フィルタ部を覆いながら内蔵して前記濾過フィルタ部の外部に密着して結合される上部が前記泉演出容器部の下部と一体に結合されているパイプ状のフィルタ固定部と、で構成される砂濾過部をさらに含んで構成されることを特徴とする請求項１に記載の水と砂がともに湧き出る演出が可能な装飾用人工泉。
【請求項３】
前記水中ポンプと前記水供給管の間に位置し前記泉演出容器部より上に設置され、前記水中ポンプの流出管から延長され結合されたパイプ状の流出管延長管が下部から貫通して内部に挿入されて設置され、一側面には前記水供給管の一側がそれぞれ結合されている円形又は多角形の筒の構造の水保存部をさらに含んで構成されることを特徴とする請求項１に記載の水と砂がともに湧き出る演出が可能な装飾用人工泉。
【請求項４】
一側は前記水保存部の下部を貫通して挿入されて前記水供給管より上に位置し、他側は水中ポンプが設置されている水供給部に通じるパイプ状の退水部をさらに含んで構成されることを特徴とする請求項３に記載の水と砂がともに湧き出る演出が可能な装飾用人工泉。
【請求項５】
前記水保存部の一側面に結合されている水供給管の一側は前記泉演出容器部より上に位置することを特徴とする請求項３に記載の水と砂がともに湧き出る演出が可能な装飾用人工泉。
【請求項６】
前記水保存部が密閉されている場合には水保存部の上部には空気疎通用の通孔がさらに形成されていることを特徴とする請求項３に記載の水と砂がともに湧き出る演出が可能な装飾用人工泉。
【請求項７】
前記水供給管の他側と前記泉演出容器部の下部の間に設置され、中心より両側の方が高い位置にあるように所定角度をなしながら曲がったパイプ状の連結部をさらに含んで構成されることを特徴とする請求項３乃至６のいずれか一項に記載の水と砂がともに湧き出る演出が可能な装飾用人工泉。
【請求項８】
前記連結部が曲がる角度は９０°〜１２０°であることを特徴とする請求項７に記載の水と砂がともに湧き出る演出が可能な装飾用人工泉。
【発明の詳細な説明】
【技術分野】
【０００１】
本発明は水と砂がともに湧き出る演出が可能な装飾用人工泉に関し、泉や自然状態の水が湧き出る水溜りから水が湧き出る時に水とともに砂も湧き出る現象を人工的に再現して室内、室外でこれを便利に鑑賞できるようにしたものである。
【背景技術】
【０００２】
山や川のような自然状態の野外では地下水から清潔な水が噴出する現象をよく見かけることができる。この時、岩や岩盤などを通して水が湧き出る場合は単に泉としての機能のみを行うが、周りに砂が存在し水が湧き出る部位に砂がともにある場合は、水が湧き出ながら砂もともに湧き出るような現象を見つけることができる。この時、水と砂がともに底から湧き出る美しい現象を鑑賞するためには山や野に直接行かなければならないという不便があり、このような自然現象を室内外で簡便に鑑賞できるようにして室内外の造景に活用しようとする試みがあった。
これに関し、特許文献１では砂を水、空気とともに同時に噴出する水族館用空気供給装置を提案しているが、これは水族館で水に空気をともに供給するための装置に過ぎず、本発明が望む水と砂がともに湧き出るような現象を再現し、これを鑑賞するためのものとはその目的及び技術的構成が異なって水と砂がともに湧き出る現象を效果的に再現することはできない上、その構成も水族館や金魚鉢に適したものであるため、室内外の造景としての活用性が低いという問題点が依然として存在する。
【先行技術文献】
【特許文献】
【０００３】
【特許文献１】米国特許第６０７３５８５号
【発明の概要】
【発明が解決しようとする課題】
【０００４】
本発明は上記のような限界及び問題点を解決するために創案されたものであり、その目的は、泉や自然状態の水溜りから水と砂がともに湧き出る自然現象の美しさを室内外で便利に鑑賞できるようにし、自然状態でのみ見られる現象を様々な室内外造景装置と連携して様々な形態の室内外造景装置に活用できる人工泉装置を提供することにある。
また、本発明の他の目的は、乾燥した環境に設置する場合に水中ポンプが動作する限り、絶えず湧き上がる水によって湿度を自動的に調節する人工泉装置を提供することにある。
【課題を解決するための手段】
【０００５】
上記の課題を解決するために、本発明による水と砂がともに湧き出る演出が可能な装飾用人工泉は、給水槽内部に位置し、流入管を通して給水槽にある水を流入した後、圧力を加えて流出管を通して水を加圧供給する水中ポンプ；前記水中ポンプの流出管に一側が連結されている管状の水供給管；及び前記水供給管の他側が下部から上部に貫通して結合され上部が広く下部が狭い漏斗状を有し、下部には砂が収容されている泉演出容器部を含んで構成されることを特徴とする。
この時、水中ポンプの故障や停電などによって突然作動が停止した場合、前記泉演出容器部の内部に収容されている砂が前記水供給管を通して水中ポンプに流入するが、これは水中ポンプの機能を低下させて装置を閉塞させるようになるのでこのような現象を防止するために水中ポンプの作動が停止した場合にも砂が水中ポンプ内部に流入されないようにする必要がある。したがって、本発明による水と砂がともに湧き出る演出が可能な装飾用人工泉は、前記水供給管と泉演出容器部の間に設置され、上部断面には合成繊維で作られたメッシュフィルタが装着されており、下部が前記水供給管と一体に結合されている上狭下広のパイプ状の濾過フィルタ部と前記濾過フィルタ部を覆いながら内蔵して前記濾過フィルタ部の外部に密着して結合される上部が前記泉演出容器部の下部と一体に結合されているパイプ状のフィルタ固定部とで構成される砂濾過部をさらに含んで構成されることを特徴とする。この時、使用される合成繊維で作られたメッシュフィルタはポリエチレンやナイロンで作られたものであり、砂粒がふるいを通過せず水の流れに抵抗を与えない程度の網目の大きさを持つことが好ましい。
一方、以上説明したように、本発明の別の特徴によれば、砂の流入による水中モータの性能低下及び装置閉塞の発生を防止するために本発明による水と砂がともに湧き出る演出が可能な装飾用人工泉は、前記水中ポンプと前記水供給管の間に位置し前記泉演出容器部より上に設置され、前記水中ポンプの流出管から延長されて結合されたパイプ状の流出管延長管が下部から貫通して内部に挿入されて設置され、一側面には前記水供給管の一側がそれぞれ結合されている円形又は多角形の筒の構造の水保存部をさらに含んで構成される。水保存槽と泉演出容器部の位置差による位置エネルギーを利用して水を持続的に供給し、所定の大きさの水保存槽を設けることで短時間の停電や故障によって水中ポンプが作動を停止した場合にも砂がすぐに水中ポンプに流入しないようにしただけでなく所定時間の間は継続的に水と砂が湧き出ることを可能にした。この時、前記水保存部の一側面に結合されている水供給管の一側は前記泉演出容器部の上部より位置エネルギーが高い所に位置させることで高低差を利用して砂濾過のためのフィルタ装置を必要とすることなく砂が水中モータに流入しないようにした。
一方、本発明のさらに別の特徴によれば、水と砂がともに湧き出る演出が可能な装飾用人工泉は、一側は前記水保存部の下部を貫通して挿入されて前記水供給管より高い所に位置し、他側は水中ポンプが設けられている給水槽に通じるパイプ状を有する退水部をさらに含んで構成される。前記退水部は水保存部の容器の容量よりも多くの水が流入する場合に水中モータが沈められている水供給槽に再度循環させるために使われるものである。この時、前記水保存槽が密閉型構造の場合には水保存部の上部には空気疎通用の通孔がさらに形成されていることが好ましいが、これは水中ポンプなどの電源が遮断されて作動を中断した時、前記泉演出容器部にあった砂が逆流して水保存槽に流入することを遮断できるからである。
一方、本発明のさらに別の特徴によれば、水と砂がともに湧き出る演出が可能な装飾用人工泉は、前記水供給管の他側と前記泉演出容器部の下部の間に設置され、中心より両側の方が高い位置にあるように所定角度をなしながら曲がったパイプ状の連結部がさらに含まれて構成される。このような連結部は上から下に落下する水を再度上方に誘導する役割を行うものであり、前記連結部が曲がる角度は９０°〜１２０°にした場合が、水の流れや落差を考慮して水が最もよく湧き出るようにすることができる。
【発明の効果】
【０００６】
上記のように本発明による水と砂がともに湧き出る演出が可能な装飾用人工泉は、泉や自然状態の水溜りから水と砂がともに湧き出る自然現象の美しさを室内外で便利に鑑賞できるようにすることができる。
また、自然状態でのみ見られる現象を様々な室内外造景装置と連携して様々な形態の室内外造景装置を製造することに用いられ得る。
本発明による水と砂がともに湧き出る演出が可能な装飾用人工泉が乾燥した環境に設置される場合には、水中ポンプが動作している限り絶えず湧き上がる水によって湿度を自動的に調節できる。
【図面の簡単な説明】
【０００７】
【図１】水中ポンプと泉演出容器部が直接的に連結された場合を示す構成図である。
【図２】本発明の構成要素の一つである砂濾過部の構成を示す構成図である。
【図３】水中ポンプと泉演出容器部の間に水保存部が備えられて落差を利用して水を供給する構造を示す構成図である。
【発明を実施するための形態】
【０００８】
以下、本発明を添付図面に基づき詳しく説明する。
図１は、水中ポンプと泉演出容器部が直接的に連結された場合を示す構成図である。
水中ポンプ１００は水供給部１０の水中に位置しており、水供給部で流入口１１０を通して水を吸い込んだ後、圧力を加えて流出口１２０を通して水を放出する。流出口１２０にはパイプ状の水供給管２００が連結されている水供給管２００と漏斗状の泉演出容器部４００の間に砂濾過部３００が設置される。したがって、水中ポンプ１００の電源が切れている時に泉演出容器部４００の砂が砂濾過部３００に沈み水が迅速に下に抜け出ることで、消していた電源を再び付けた場合にも装置が閉塞したり水中ポンプの性能が低下したりすることを防止できる。一方、砂濾過部３００を設置しない場合には砂濾過フィルタの代わりにチェックバルブやカプラーなどを装着して使用することができる。一方、泉演出容器部４００に使用される砂はふるいに通した河砂が好ましく、泉演出容器部４００の大きさに応じて差があるものの２００ｇ程度を内部に内蔵させることが好ましい。この時、泉演出容器部４００をなす容器の構造は円形でも多角形でも良いが漏斗状を有した場合には限定された量の砂を繰り返し噴出させることができ、砂粒子は水より重いため、沈む時は内側に集ってからまた上に上昇することができる。
図２は、本発明の構成要素の一つである砂濾過部の構成を示す構成図である。
砂濾過部３００は濾過フィルタ部３１０とフィルタ固定部３２０で構成されるが、濾過フィルタ部３１０は上部にメッシュフィルタ３１５が装着されており下部が開口している上狭下広構造のパイプ状で構成され、フィルタ固定部３２０は前記濾過フィルタ部３１０を内蔵して外面に接して結合される上狭下広構造のパイプ状に構成される。一方、フィルタ固定部３２０は泉演出容器部４００の下部から上部に貫通して結合されるが、泉演出容器部４００の内部に収容されている砂が一気に下に抜けないようにその直径の大きさを水が湧き上がる量及び圧力に対応して調節する必要がある。
図３は、水中ポンプと泉演出容器部の間に水保存部が備えられて落差を利用して水を供給する構造を示す構成図である。
水供給部１０内には水中ポンプ１００が設置されており、前記水中ポンプから加圧された水は流出管１２０を通して直接的に水保存部５００へ移送される。水保存部５００は水の落差による位置エネルギーを利用して安定的に水を泉演出容器部４００に供給するようにするために泉演出容器部４００より上に位置しなければならず、水保存部５００から泉演出容器部４００に水を供給することは水供給部２００を通して供給するようになる。この時、十分な圧力で水を泉演出容器部４００に伝達するためには水供給管２００が水保存槽５００と連結されている位置が泉演出容器部４００の上部より最低１０ｃｍ以上高くなければならない。このような落差を求めることは落差が１０ｃｍ以内の場合には水が湧き出る程度の圧力を加えることができないからである。一方、水保存部５００が密閉された構造に形成された場合には上部に空気穴を穿孔しておくことが好ましいが、これは水中ポンプの電源が切れて作動が停止した時、泉演出容器部４００の砂が水保存部５００に圧力差によってマイナス圧力がかかり流入することを遮断することができるからである。したがって、水保存部を内部に含めて造景装置を製造する場合には水保存部５００に空気穴を追加的に形成させることが好ましい。
また、水中ポンプ１００から水保存部５００に水が過度に流入する場合にはパイプ状の退水部５５０を通して水中ポンプ１００が位置する水供給部１０に再度循環させる。したがって、前記退水部５５０の一側は前記水保存部５００の下部を貫通して挿入されて設置され、水保存部の下部から挿入されて設置された流出管延長管１５０の側端より高い所に位置しなければならず、他側は水中ポンプ１００が設置されている水供給部１０に位置するように設置する。
また、水供給管２００と泉演出容器部４００の間には１２０°曲がって両側が上部に向かっている連結部６００がさらに構成されているが、これは落差により下降した水を上向きに誘導して下から上に湧き出るようにするために設置されるものである。
以上、本発明に対する技術的思想を添付図面とともに述べたが、これは本発明の好ましい実施例を例示して説明したものであって本発明を限定するものではない。また、本発明の属する技術分野における通常の知識を有する者であれば本発明の技術的思想の範疇から逸脱しない範囲内で様々な変形及び摸倣を行うことができることは明らかである。
【符号の説明】
【０００９】
１０：水供給部
１００：水中ポンプ
２００：水供給管
３００：砂濾過部
４００：泉演出容器部
５００：水保存部
５５０：退水部
６００：連結管
【図１】
2011520661.tif 000003
【図２】
2011520661.tif 000004
【図３】
2011520661.tif 000005
【国際調査報告】
2011520661.tif 000006
2011520661.tif 000007
2011520661.tif 000008
2011520661.tif 000009